(57)【要約】【課題】使用するメモリの容量を最小限に抑えたメモ機能を実現することが可能な、新規かつ改良されたテレビジョン受像機を提供する。【解決手段】放送コンテンツの映像イメージを記憶する放送コンテンツ用メモリと、ユーザからの指示に応じて前記放送コンテンツ用メモリに記録されている映像イメージを抽出するメモ機能制御部と、前記メモ機能制御部が抽出した映像イメージに対応する二次元コードを生成する二次元コード生成部と、前記二次元コード生成部が生成した二次元コードを記憶する二次元コード用メモリと、前記放送コンテンツ用メモリに記録されている画像イメージと、前記二次元コード用メモリに記録されている二次元コードと、を合成して表示用画像を生成する表示処理部と、前記表示処理部が合成した表示用画像を表示する表示部と、を備えた。【選択図】図１
2010074385.tif 000002
【特許請求の範囲】
【請求項１】
放送コンテンツの映像イメージを記憶する放送コンテンツ用メモリと、
ユーザからの指示に応じて、前記放送コンテンツ用メモリに記録されている映像イメージを抽出するメモ機能制御部と、
前記メモ機能制御部が抽出した映像イメージに対応する二次元コードを生成する二次元コード生成部と、
前記二次元コード生成部が生成した二次元コードを記憶する二次元コード用メモリと、
前記放送コンテンツ用メモリに記録されている画像イメージと、前記二次元コード用メモリに記録されている二次元コードと、を合成して表示用画像を生成する表示処理部と、
前記表示処理部が合成した表示用画像を表示する表示部と、
を備えるテレビジョン受像機。
【請求項２】
前記二次元コード用メモリは、二次元コードを記憶可能な複数のメモリ領域から構成される、請求項１に記載のテレビジョン受像機。
【請求項３】
前記二次元コード生成部は、生成した前記二次元コードを、前記二次元コード用メモリを構成する複数のメモリ領域のうち、未使用のメモリ領域に記録する、請求項２に記載のテレビジョン受像機。
【請求項４】
前記メモ機能制御部は、ユーザからの指示に応じて、前記二次元コード用メモリに記録されている前記二次元コードを消去する、請求項１〜３に記載のテレビジョン受像機。
【請求項５】
放送コンテンツの映像イメージを放送コンテンツ用メモリに記録する映像イメージ記録ステップと、
ユーザからの指示に応じて、前記映像イメージ記録ステップにより放送コンテンツ用メモリに記録された映像イメージを抽出するメモ画像抽出ステップと、
前記メモ画像抽出ステップにより抽出された映像イメージに対応する二次元コードを生成する二次元コード生成ステップと、
前記二次元コード生成ステップにより生成された二次元コードを二次元コード用メモリに記録する二次元コード記録ステップと、
前記映像イメージ記録ステップにより放送コンテンツ用メモリに記録された映像イメージと、前記二次元コード記録ステップにより二次元コード用メモリに記録された二次元コードと、を合成して表示用画像を生成する表示用画像生成ステップと、
前記表示用画像生成ステップにより生成された表示用画像を表示する表示ステップと、
を含むメモ画像提供方法。
【発明の詳細な説明】
【技術分野】
【０００１】
本発明は、テレビジョン受像機およびメモ画像提供方法に関する。
【背景技術】
【０００２】
今日のテレビジョン受像機には、ユーザによる指示に応じて、放送中の映像の１シーンを静止画イメージとして一時的にメモリに保存し、子画面などで表示させる、いわゆるメモ機能が搭載されている場合がある（例えば、特許文献１）。ユーザは、メモ機能を利用することにより、料理のレシピ、プレゼントの応募先などの情報を静止画として画面に継続して表示させておくことができる。したがって、今後のテレビ市場においても、このようなメモ機能は、テレビジョン受像機が備えるべき機能の１つとしてユーザから強く要望されている。
【０００３】
【特許文献１】特開２００２−０４４５４４号公報
【発明の開示】
【発明が解決しようとする課題】
【０００４】
しかし、従来のテレビジョン受像機が備えるメモ機能は、複数の静止画イメージを記憶するためには大容量のメモリが必要となるため、複数の静止画イメージをメモ画像として表示させたいというユーザのニーズに答えることが困難であるという問題があった。
【０００５】
そこで、本発明は、上記問題に鑑みてなされたものであり、本発明の目的とするところは、使用するメモリの容量を最小限に抑えたメモ機能を実現することが可能な、新規かつ改良されたテレビジョン受像機、メモ画像提供方法を提供することにある。
【課題を解決するための手段】
【０００６】
上記課題を解決するために、本発明のある観点によれば、放送コンテンツの映像イメージを記憶する放送コンテンツ用メモリと、ユーザからの指示に応じて前記放送コンテンツ用メモリに記録されている映像イメージを抽出するメモ機能制御部と、前記メモ機能制御部が抽出した映像イメージに対応する二次元コードを生成する二次元コード生成部と、前記二次元コード生成部が生成した二次元コードを記憶する二次元コード用メモリと、前記放送コンテンツ用メモリに記録されている画像イメージと、前記二次元コード用メモリに記録されている二次元コードと、を合成して表示用画像を生成する表示処理部と、前記表示処理部が合成した表示用画像を表示する表示部と、を備えるテレビジョン受像機が提供される。
【０００７】
係る構成により、テレビジョン受像機は、放送局から順次受信する放送コンテンツの映像イメージを放送コンテンツ用メモリに記録することができる。また、メモ機能制御部は、ユーザからのメモ機能の実行指示などに応じて、放送コンテンツ用メモリに記録されている映像イメージを抽出することができる。また、二次元コード生成部は、メモ機能制御部が抽出した映像イメージに対応する二次元コードを生成し、二次元コード用メモリに記録することができる。さらに、表示処理部は、放送コンテンツ用メモリに記録されている映像イメージと、二次元コード用メモリに記録されている二次元コードと、を合成して表示用画像を生成し、表示部に表示させることができる。
【０００８】
また、前記二次元コード用メモリは、二次元コードを記憶可能な複数のメモリ領域から構成されてもよい。
【０００９】
また、前記二次元コード生成部は、生成した前記二次元コードを、前記二次元コード用メモリを構成する複数のメモリ領域のうち、未使用のメモリ領域に記録することもできる。
【００１０】
また、前記メモ機能制御部は、ユーザからの指示に応じて、前記二次元コード用メモリに記録されている前記二次元コードを消去することもできる。
【００１１】
また、上記課題を解決するために、本発明の別の観点によれば、放送コンテンツの映像イメージを放送コンテンツ用メモリに記録する映像イメージ記録ステップと、ユーザからの指示に応じて、前記映像イメージ記録ステップにより放送コンテンツ用メモリに記録された映像イメージを抽出するメモ画像抽出ステップと、前記メモ画像抽出ステップにより抽出された映像イメージに対応する二次元コードを生成する二次元コード生成ステップと、前記二次元コード生成ステップにより生成された二次元コードを二次元コード用メモリに記録する二次元コード記録ステップと、前記映像イメージ記録ステップにより放送コンテンツ用メモリに記録された映像イメージと、前記二次元コード記録ステップにより二次元コード用メモリに記録された二次元コードと、を合成して表示用画像を生成する表示用画像生成ステップと、前記表示用画像生成ステップにより生成された表示用画像を表示する表示ステップと、を含むメモ画像提供方法が提供される。
【発明の効果】
【００１２】
以上説明したように本発明によれば、使用するメモリの容量を最小限に抑えたメモ機能を実現することが可能である。
【発明を実施するための最良の形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、説明は以下の順序で行うものとする。
１．本発明の実施形態の概要
２．実施形態の１つに係るテレビジョン受像機１００の機能構成
３．二次元コードを利用したメモ機能の処理フロー
４．まとめ
【００１４】
（１．本発明の実施形態の概要）
本発明の実施形態の１つに係るテレビジョン受像機１００の詳細を説明するにあたり、まず本実施形態の概要について説明する。
【００１５】
従来のテレビジョン受像機（以下、テレビという）には、ユーザによる指示に応じて、放送中の映像の１シーンを静止画イメージとして一時的にメモリに保存し、子画面などで表示させる、いわゆるメモ機能が搭載されている場合がある。このメモ機能を利用することにより、ユーザは、例えば、料理のレシピ、プレゼントの応募方法、商品の詳細、電話番号、店舗の地図などに関する各種情報を静止画として、画面に継続して表示させることができる。
【００１６】
しかしながら、メモ機能を実現するには、静止画イメージをメモリに一次記憶する必要がある。また、メモリに一次記憶される静止画イメージは、ディスプレイの解像度などの表示性能に適合する静止画データであるため、テレビの表示性能によっては、静止画イメージを記憶するために大容量のメモリを備えなければならないという問題があった。また、ユーザがメモ表示を所望する各種情報は、複数の静止画にわたる場合もある。このように複数の静止画をメモ画像として表示させたいというユーザの要望に答えるためには、テレビは、複数の静止画を記憶するのに十分な容量のメモリを備えなければならないという問題があった。
【００１７】
これに対して本願発明の実施形態に係るテレビは、ユーザが要望する静止画の画像データ自体をメモリに記憶させるのではなく、当該画像データを二次元コードに変換してメモリに記憶させる。二次元コードは、数値データのみならずバイナリデータに基づく画像データなどの情報も記録することができ、現在では、ＱＲ（Ｑｕｉｃｋ  Ｒｅｓｐｏｎｓｅ）コードなどが広く知られている。本実施形態に係るテレビは、静止画の画像データを二次元コードに変換することによりデータ容量を最小限に抑えてメモリに記憶させる。
【００１８】
その後、本実施形態に係るテレビは、メモリに記録されている二次元コードを放送番組に重ねて表示する。これにより、ユーザは、二次元コードを読み取り可能な携帯電話などの情報処理端末をテレビ画面にかざすことにより、当該二次元コードを読み取り、画像データを情報処理端末に表示させることができる。
【００１９】
すなわち、本実施形態に係るテレビは、二次元コードとして画像データをメモリに保存することにより、画像データ自体をメモリに保存する場合と比較して、メモリの容量を最小限に抑えることができる。例えば、二次元コードとしてＱＲコードを利用した場合、記録可能なバイナリデータは最大２９５３バイトである。したがって、本実施形態に係るテレビは、テレビのディスプレイの解像度や表示性能などに関わらず、二次元コードの保存に必要な容量のメモリを備えればよい。
【００２０】
このように、本実施形態に係るテレビは、使用するメモリの容量を最小限に抑えたメモ機能を実現することが可能とする。以下、このような特徴を有する本実施形態に係るテレビ１００の詳細について説明する。
【００２１】
（２．実施形態の１つに係るテレビジョン受像機１００の機能構成）
図１は、本実施形態に係るテレビ１００の機能構成を示すブロック図である。テレビ１００は主に、チューナー部１０２と、デコーダ部１０４と、放送コンテンツ用メモリ１０６と、表示処理部１０８と、表示部１１０と、リモコン受信部１１２と、メモ機能制御部１１４と、二次元コード生成部１１６と、二次元コード用メモリ１１８と、を備える。
【００２２】
チューナー部１０２は、アンテナ端子（図示せず）を介してアンテナに接続され、例えば、地上波デジタル放送、衛星（ＢＳ）デジタル放送、地上波アナログ放送、衛星アナログ放送等のチューナーを備える受信部である。チューナー部１０２は、例えば、ユーザからの選局指示に応じて、目的とする放送信号を受信する。チューナー部１０２によって受信された放送信号は、後述するデコーダ部１０４へ転送される。
【００２３】
デコーダ部１０４は、チューナー部１０２によって受信された放送信号に含まれる映像信号を、信号処理部（図示せず）などでデコードし、デコードしたコンテンツデータ（画像イメージ）を放送コンテンツ用メモリ１０６に記録する。なお、デコーダ部１０４は、チューナー部１０２によって受信された放送信号に含まれる音声信号や番組情報などもデコードすることができるが、本実施形態のメモ機能とは関係がないため詳細は省略する。
【００２４】
放送コンテンツ用メモリ１０６は、デコーダ部１０４がデコードした画像イメージを一時的に蓄積する。放送コンテンツ用メモリ１０６に記録された画像イメージは、後述する表示処理部１０８により表示部１１０に順次表示される。なお、放送コンテンツ用メモリ１０６は、例えば、テレビ１００の各種処理を実行するために必要なデータ、設定情報、プログラムなどを記録しておくことも可能である。
【００２５】
表示処理部１０８は、放送コンテンツ用メモリ１０６に記録された画像イメージを、後述する表示部１１０に表示させる。また、表示処理部１０８は、後述する二次元コード用メモリ１１８に二次元コードが記録されている場合、当該二次元コードと、放送コンテンツ用メモリ１０６に記録された画像イメージと、を合成して表示用画像を生成して表示部１１０に表示させることもできる。
【００２６】
表示部１１０は、表示処理部１０８により信号処理された表示データなどを表示する。表示部１１０は、例えば、ＣＲＴ（Ｃａｔｈｏｄｅ  Ｒａｙ  Ｔｕｂｅ）、液晶ディスプレイ（ＬＣＤ）、有機ＥＬディスプレイ（Ｏｒｇａｎｉｃ  ＥｌｅｃｔｒｏＬｕｍｉｎｅｓｃｅｎｃｅ  Ｄｉｓｐｌａｙ）などからなる表示装置である。表示部１１０は、チューナー部１０２により放送局から受信した所定の番組や、二次元コード用メモリ１１８に記録されている二次元コードなどを表示することができる。
【００２７】
リモコン受信部１１２は、ユーザによる操作内容を示す信号をリモートコントローラから受信し、メモ機能制御部１１４が解釈可能な信号に変換してメモ機能制御部１１４へ出力する。なお、リモートコントローラから送信される信号は、赤外線信号であっても無線信号であってもよい。また、テレビ１００には、直接ユーザ操作を受け付ける操作部が設けられていてもよい。
【００２８】
メモ機能制御部１１４は、リモコン受信部１１２から入力される信号に基づいて、メモ機能の実行を制御する。なお、メモ機能制御部１１４は、リモコン受信部１１２から入力される信号に基づいて、メモ機能以外のテレビ１００の動作全般を制御することも可能であるが、以下の説明においては、本実施形態の特徴的部分であるメモ機能の制御について中心に説明する。メモ機能制御部１１４は、リモコン受信部１１２を介して、ユーザからメモ機能の実行指示を受け付けた場合、放送コンテンツ用メモリ１０６や二次元コード生成部１１６などを制御して二次元コードの生成を指示する。
【００２９】
具体的には、メモ機能制御部１１４は、ユーザからメモ機能の実行指示を受けた場合、放送コンテンツ用メモリ１０６に記録されている画像イメージを抽出する。その後、メモ機能制御部１１４は、抽出した画像イメージを後述する二次元コード生成部１１６へ転送し、当該画像イメージに対応する二次元コードを生成するように二次元コード生成部１１６を制御する。
【００３０】
また、メモ機能制御部１１４は、ユーザから二次元コードの消去指示を受けた場合、後述する二次元コード用メモリ１１８に記録されている二次元コードを消去することもできる。
【００３１】
二次元コード生成部１１６は、メモ機能制御部１１４からの指示に応じて、画像イメージに対応する二次元コードを生成する。二次元コード生成部１１６は、例えば、バイナリデータを記録することができるＱＲコードのような二次元コードを生成することができる。その後、二次元コード生成部１１６は、生成した二次元コードを、後述する二次元コード用メモリ１１８に記録する。なお、二次元コード生成部１１６が生成する二次元コードは、特定の種類、記録可能容量などに限定されるものではない。すなわち、二次元コード生成部１１６が生成する二次元コードは、放送コンテンツ用メモリ１０６に記録されている画像イメージよりも小さな容量で画像データを記録することが可能な二次元コードであればよい。
【００３２】
二次元コード用メモリ１１８は、二次元コード生成部１１６により生成された二次元コードを記憶する記憶部である。二次元コード用メモリ１１８は、複数の二次元コードを記憶するために、複数のメモリ領域から構成されることができる。本実施形態に係るテレビ１００の二次元コード用メモリ１１８は、図１に示すように、二次元コード用第１メモリ１２０と、二次元コード用第２メモリ１２２と、二次元コード用第３メモリ１２４と、を含んで構成される。すなわち、本実施形態に係るテレビ１００のメモ機能は、３つの画像イメージをユーザに提供することができる。なお、本実施形態においては、二次元コード用メモリ１１８が３つのメモリ領域から構成されるが、本発明はこれに限定されるものではない。すなわち、二次元コード用メモリ１１８は、１つまたは２つ、もしくは４つ以上のメモリ領域から構成されることも当然に可能である。
【００３３】
なお、二次元コード用メモリ１１８は、二次元コードを記憶することが可能であればよく、特定の記録方式に限定されない。すなわち、二次元コード用メモリ１１８は、例えば、不揮発性メモリ、磁気ディスク、光ディスク、およびＭＯ（Ｍａｇｎｅｔｏ  Ｏｐｔｉｃａｌ）ディスクなどの記憶媒体であってもよい。また、テレビ１００の電源をオフにした場合に二次元コードが消去されても構わない場合などには、二次元コード用メモリ１１８は、揮発性メモリであってもよい。
【００３４】
以上、本実施形態に係るテレビ１００の機能構成について説明した。なお、図１に示した機能構成は、二次元コードを利用したメモ機能という本実施形態の特徴を実現するための機能構成であり、本発明のテレビの機能構成はこれらに限定されるものではない。すなわち、テレビ１００は、上述したメモ機能に必要な機能以外にも、放送コンテンツの受信・再生・編集、電子番組表表示、チャンネル変更、表示設定、外部機器接続などの通常のテレビに備えられる機能も当然に備えることができる。
【００３５】
（３．二次元コードを利用したメモ機能の処理フロー）
次に、上記のように構成されるテレビ１００がメモ機能を実行する際の処理の流れについて説明する。図２は、本実施形態に係るテレビ１００がメモ機能を実行する際の処理の流れを示すフロー図である。
【００３６】
まず、ステップ２００において、メモ機能制御部１１４は、ユーザからメモ機能の実行指示があったか否かを判断する。メモ機能制御部１１４は、リモコン受信部１１２がリモートコントローラなどから受信した信号により、ユーザからメモ機能の実行指示があったか否かを判断することができる。なお、ステップ２００の処理は、テレビ１００の電源が起動している状態において継続的に行われるものである。
【００３７】
ステップ２００によりユーザからメモ機能の実行指示があったと判断された場合、メモ機能制御部１１４は、ステップ２０２において、放送コンテンツ用メモリ１０６に記録されている画像イメージを抽出する。その後、メモ機能制御部１１４は、抽出した画像イメージを二次元コード生成部１１６へ転送し、二次元コードの生成を指示する。
【００３８】
これを受けて二次元コード生成部１１６は、ステップ２０４において、メモ機能制御部１１４から転送された画像イメージに対応する二次元コードを生成する。その後、二次元コード生成部１１６は、ステップ２０６において、生成した二次元コードを二次元コード用メモリ１１８に記録する。このとき、二次元コード生成部１１６は、二次元コード用メモリ１１８を構成する複数のメモリ領域のうち、未使用のメモリ領域に二次元コードを記録することができる
【００３９】
次に、ステップ２０８において、表示処理部１０８は、二次元コード用メモリ１１８に記録されている二次元コードと、放送コンテンツ用メモリ１０６に記録されている画像イメージと、に基づいて、表示部１１０に表示させる表示用画像を生成する。表示処理部１０８は、例えば、放送コンテンツ用メモリ１０６に記録されている画像イメージの所定の画像領域に、二次元コード用メモリ１１８に記録されている二次元コードを重ねて表示用画像を生成することができる。
【００４０】
その後、ステップ２１０において、表示部１１０は、表示処理部１０８によって生成された表示用画像を表示する。図３は、ステップ２１０により表示部１１０に表示される画像イメージおよび二次元コードの一例を示す説明図である。図３を参照すると、表示部１１０には、チューナー部１０２で受信した放送コンテンツが表示されると共に、ユーザによるメモ機能の実行指示を受けた際の画像イメージに対応する二次元コードが表示されていることがわかる。
【００４１】
この状態において、ユーザは、二次元コードを読み取り可能な機能を備える携帯情報端末を、表示部１１０に表示された二次元コードにかざすことにより、当該二次元コードに対応する画像イメージを携帯情報端末のディスプレイに表示させることができる。図４は、このようにして携帯情報端末のディスプレイに表示されるイメージ図の一例を示す説明図である。図４を参照すると、ユーザがメモ機能の実行を指示したときの画像イメージである料理のレシピの画像が表示されていることがわかる。
【００４２】
その後、メモ機能制御部１１４は、ステップ２１２において、ユーザから二次元コードの削除指示があったか否かを判断する。メモ機能制御部１１４は、リモコン受信部１１２がリモートコントローラなどから受信した信号により、ユーザから二次元コードの削除指示があったか否かを判断することができる。
【００４３】
ステップ２１２によりユーザから二次元コードの削除指示があったと判断された場合、メモ機能制御部１１４は、ステップ２１４において、二次元コード用メモリ１１８に記録されている二次元コードのうち、削除指示があった二次元コードを削除する。
【００４４】
以上のような処理フローにより、本実施形態に係るテレビ１００は、二次元コードを利用したメモ機能を実行することができる。なお、図２に示した処理は、テレビ１００の電源が起動している状態において継続的に行われる処理であり、リモコン受信部１１２を介したユーザからの指示に応じて各処理が行われる。
【００４５】
また、図２に示したフロー図に記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００４６】
（４．まとめ）
以上説明したように、本実施形態に係るテレビ１００は、ユーザからメモ機能の実行指示を受け付けた場合に、放送コンテンツの画像イメージに対応する二次元コードを生成し、表示部１１０に表示させることができる。この結果、ユーザは、携帯情報端末を表示部１１０に表示された二次元コードにかざすことにより、当該二次元コードに対応する画像イメージを携帯情報端末のディスプレイに表示させることができる。
【００４７】
ここで、画像イメージを記録する二次元コードは、テレビ１００の表示性能などに対応する放送コンテンツの画像イメージよりも容量が小さい。したがって、本実施形態に係るテレビ１００は、従来のテレビと比較して小容量のメモリであっても、二次元コードを利用したメモ機能を実現することができる。この結果、本実施形態に係るテレビ１００は、メモリの容量を最小限に抑えて、複数の画像イメージをメモ画像として残したいというユーザの要望に答えることができる。
【００４８】
さらに、通常テレビの視聴中にメモしておきたい画面は、地図、住所、レシピ、電話番号などのように、ユーザが、データとして保存したり、友人に連絡したりすることを要望するものが多い。このような要望に対しても、本実施形態に係るテレビ１００のメモ機能を利用することにより、ユーザは、携帯情報端末に表示される画像イメージを保存したり、友人にメールしたりすることができる。
【００４９】
以上のように、本実施形態に係るテレビ１００は、使用するメモリの容量を最小限に抑えたメモ機能を実現することを可能とする。
【００５０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００５１】
【図１】本発明の実施形態の１つに係るテレビ１００の機能構成を示すブロック図である。
【図２】同実施形態に係るテレビ１００がメモ機能を実行する際の処理の流れを示すフロー図である。
【図３】同実施形態において、二次元コードを表示する表示部１１０の一例を示す説明図である。
【図４】同実施形態において、二次元コードを読み取った携帯電話の表示例を示す説明図である。
【符号の説明】
【００５２】
１００    テレビ
１０２    チューナー部
１０４    デコーダ部
１０６    放送コンテンツ用メモリ
１０８    表示処理部
１１０    表示部
１１２    リモコン受信部
１１４    メモ機能制御部
１１６    二次元コード生成部
１１８    二次元コード用メモリ
【図１】
2010074385.tif 000003
【図２】
2010074385.tif 000004
【図３】
2010074385.tif 000005
【図４】
2010074385.tif 000006